(57)【特許請求の範囲】
【請求項１】
長手方向に連続する少なくとも１個の中空部を有するデッキ材を並設し、それらデッキ材の長手方向端部により形成されるデッキ端辺に幕板を取り付けたデッキにおいて、
デッキ材の中空部を遮蔽するとともにねじ受け部を有する垂直部と、その垂直部の下端から前記中空部の底壁に沿って延びる水平部と、前記垂直部の上端又はその付近から前記水平部と同じ側に平行に延びる回転防止用係合片とを一体に有して、側面ほぼＬ字形をなす幕板取付金具を形成し、
前記幕板取付金具を、前記デッキ端辺に沿って所定の間隔を置いて存在するデッキ材の前記中空部に前記回転防止用係合片を係合させるとともに、前記垂直部によりその中空部の端部を遮蔽し、前記水平部を前記中空部の底壁に固着して取り付け、ビスを前記幕板に貫通し、さらに前記各板取付金具のねじ受け部にねじ込むことにより前記デッキ端辺に幕板を固着するようにしたことを特徴とするデッキ。
【請求項２】
前記幕板取付金具は、その回転防止用係合片がデッキ材の中空部に挿入された状態で、垂直部をデッキ材の端部の湾曲切断面に当接することができるように、限定された角度範囲での回転を許容する幅を備えていることを特徴とする請求項１に記載のデッキ。
【請求項３】
デッキの湾曲状端辺に取り付けられる幕板は、断面ほぼＩ字形の合成樹脂製帯板であることを特徴とする請求項１又は２に記載のデッキ。
【発明の詳細な説明】
【技術分野】
【０００１】
本発明は、デッキに関するものであり、さらに詳しくは、デッキの幕板の取付構造に関する。
【背景技術】
【０００２】
束柱の上端部に固定される大引（又はその大引の上に固定される根太。以下、同じ。）の上面にデッキ材を載置し固定して構成されるデッキにおいては、そのデッキ材の端縁の保護及びデッキの端辺の装飾のために、幕板（鼻隠しと呼ばれることもある。）が取り付けられる。
【０００３】
従来のデッキの幕板は、一例として、次のようにして取り付けられていた。すなわち、隣接する束柱の上端部間に架設されて枠を構成する各桁に幕板接続部を一体に形成し、その幕板接続部の背面側からねじ込まれるねじにより幕板を幕板接続部の表面側に取付け、その桁を束柱に固着することにより、その幕板でデッキ材の端部及び桁が隠蔽されるように幕板が取り付けられていた（特許文献１）。
【特許文献１】特開２００２−２２７２９２号公報
【発明の開示】
【発明が解決しようとする課題】
【０００４】
上記従来技術は、桁に幕板接続部を設ける必要があり、その桁の背面側から幕板接続部に幕板を固着するので、製造コストが高く付くとともに施工能率が低いという問題があり、また、幕板はデッキ材のみでなく、桁までも隠蔽できる高さを有する必要があるので、幕板自体も高価なものとなる。さらに、従来の幕板は、帯板の上下に内向屈曲縁を有するもの又は扁平中空材で構成されていたので、デッキの直線状端辺に取り付ける場合は困難性がないが、湾曲状端辺に幕板を取付けることは困難であるか不可能であった。
【０００５】
本発明は、上記の問題点を解決するためになされたものであり、その第１の課題は、最小限の取付部材を用いて簡単に幕板を取り付けることができる幕板取付構造を提供することにある。第２の課題は、幕板をデッキの直線状端辺に限らず、湾曲状端辺にも容易に取り付けることができるようにすることにある。さらに、第３の課題は、湾曲状端辺の曲率がある限度内で異なっても、幕板の取付を可能にすることにある。
【課題を解決するための手段】
【０００６】
上記第１の課題を解決するため、本発明は、長手方向端部に開口する少なくとも１個の中空部を有するデッキ材を並設し、それらデッキ材の長手方向端部により形成されるデッキ端辺に幕板を取り付けたデッキにおいて、デッキ材の中空部を遮蔽するとともにねじ受け部を有する垂直部と、その垂直部の下端から前記中空部の底壁に沿って延びる水平部と、前記垂直部の上端又はその付近から前記水平部と同じ側に平行に延びる回転防止用係合片とを一体に有して、側面ほぼＬ字形をなす幕板取付金具を形成し、前記幕板取付金具を、前記デッキ端辺に沿って所定の間隔を置いて存在するデッキ材の前記中空部に前記回転防止用係合片を係合させるとともに、前記垂直部によりその中空部の端部を遮蔽し、前記水平部を前記中空部の底壁に固着して取り付け、ビスを前記幕板に貫通し、さらに前記各板取付金具のねじ受け部にねじ込むことにより前記デッキ端辺に幕板を固着するようにしたことを特徴としている（請求項１）。
上記構成により、デッキ端辺に沿って所定の間隔を置いて存在するデッキ材の中空部の端部に幕板取付金具を固着し、ビスを幕板に貫通して各幕板取付金具のねじ受け部にねじ込むことにより、幕板をデッキ端辺に固着することができる。
【０００７】
前記幕板取付金具は、その回転防止用係合片がデッキ材の中空部に挿入された状態で、垂直部をデッキ材の端部の湾曲切断面に当接することができるように限定された角度範囲での回転を許容する幅を備えていることが好ましい（請求項２）。
上記構成により、幕板取付金具の水平部をデッキ材の中空部の底壁の底面に当て、垂直部をデッキ材の端部の湾曲切断面に当接させると共に、回転防止用係合片をその中空部の上端部に嵌合することにより、幕板取付金具を垂直部がデッキ材の湾曲切断面とほぼ並行な状態で装着することができ、水平部の下方からビスをデッキ材にねじ込んで幕板取付金具を容易にデッキ材に固着することができる。
【０００８】
デッキの湾曲端辺に取り付けられる幕板は、断面ほぼ１字形の合成樹脂製帯板であることが望ましい（請求項３）。
断面形状がほぼ１字形の合成樹脂製帯板で作られた幕板は、デッキ端辺が任意の曲率を有するものである場合にも、その曲面に沿って容易に湾曲させることができる。
【発明の効果】
【０００９】
請求項１の発明によれば、長手方向に連続する少なくとも１個の中空部を有するデッキ材を並設し、それらデッキ材の長手方向端部により形成されるデッキ端辺に幕板を取り付けたデッキにおいて、デッキ材の中空部を遮蔽するとともにねじ受け部を有する垂直部と、その垂直部の下端から前記中空部の底壁に沿って延びる水平部と、前記垂直部の上端又はその付近から前記水平部と同じ側に平行に延びる回転防止用係合片とを一体に有して、側面ほぼＬ字形をなす幕板取付金具を形成し、前記幕板取付金具を、前記デッキ端辺に沿って所定の間隔を置いて存在するデッキ材の前記中空部に前記回転防止用係合片を係合させるとともに、前記垂直部によりその中空部の端部を遮蔽し、前記水平部を前記中空部の底壁に固着して取り付け、ビスを前記幕板に貫通し、さらに前記各板取付金具のねじ受け部にねじ込むことにより前記デッキ端辺に幕板を固着するようにしたので、幕板取付金具の回転防止用係合片をデッキ材の中空部に挿入し、その幕板取付金具の水平部をその中空部の底壁に固着して容易に、かつ、回転しないように取り付けることができる。
【００１０】
請求項２の発明によれば、幕板取付金具は、回転防止用係合片がデッキ材の中空部に挿入された状態で垂直部をデッキ材の端部の湾曲切断面に当接することができるように限定された角度範囲での回転を許容する幅を備えているので、デッキ材の長手方向端部が湾曲切断面を有する場合は、回転防止用係合片を中空部内で回転させて、幕板取付金具の垂直部をデッキ材の湾曲切断面に密着させた状態で固着することができ、従って、幕板をデッキの湾曲面に密着された状態で取り付けることができる。
【００１１】
請求項３の発明によれば、デッキの湾曲端辺に取り付けられる幕板は、断面ほぼＩ字形の合成樹脂製帯板であるので、デッキ端辺が任意の曲率を有するものである場合にも、その曲面に沿って容易に湾曲させることができる。従って、デッキの湾曲端辺にも容易に幕板の取付が可能になった。
【発明を実施するための最良の形態】
【００１２】
次に、本発明の実施の形態について図面に基づいて説明する。
図１は本発明に係る幕板を取り付けたデッキの平面図、図２はそのデッキに取り付けられた２種類の幕板を例示する図であり、（ａ）は直線状のデッキ端辺用の幕板、（ｂ）は湾曲状のデッキ端辺用の幕板である。図３は直線状のデッキ端辺に幕板を取り付ける状態を示す斜視図、図４は幕板取付金具の側面図で、デッキ材に対する取付位置及び取り付けられる幕板との位置関係をも示す。図５は、幕板取付金具のデッキ材に対する取付要領を説明する斜視図、図６は幕板のデッキ材に対する取付状態を示す図であり、（ａ）はデッキ材の長手方向端部に対して幕板取付金具を介して取り付けられる状態を示し、（ｂ）はデッキ材の側面に幕板を取り付ける状態を示す。
【００１３】
図１において、１1，１2，１3，１k，・・・１n-1，１nは、アルミニウム合金の押出形材を所要の長さに切断して形成されたデッキ材であり、図３に一部が示されているように、一定の間隔を持って地面に立設されている束柱２の上端部に平行に架設された大引３の上面に載置され、既知の方法によりその大引３に固定されて、デッキＤを構成している。
【００１４】
デッキ材１1〜１kは、長手方向両端部（小口）、すなわち、建物Ｈ側の端部及び建物と反対側の端部がデッキ材の材軸に対して直角に切断されていて、それらの建物側端部はその建物の外壁面又は基礎の外壁面に近接させた状態で大引３に固定されるが、建物と反対側の端部はデッキＤの建物又はその基礎の外壁面と平行な直線上に整列されてデッキの直線状端辺ＥＬ１を形成している。また、その直線状端辺ＥＬ１の端部に位置する最初のデッキ材１1 は、その幅方向一端がデッキの建物又はその基礎の外壁面に対して直角な直線状端辺ＥＬ２を形成している。これに対して、デッキ材１n-4〜１nは、長手方向の一端部、すなわち、建物側端部が材軸に対して直角に切断されていて、それらの建物側端部はその建物の外壁面又は基礎の外壁面に近接させた状態で大引に固定されるが、他端部、すなわち、建物と反対側の端部は前記直線状端辺ＥＬ１に連なるデッキの湾曲状端辺ＥＬ３を形成している。さらに、その湾曲状端辺ＥＬ３の末端のデッキ材１n の幅方向他端は、デッキＤの建物又はその基礎の外壁面に対して直角な直線状端辺ＥＬ４を形成している。
【００１５】
そして、デッキＤの建物側端辺を除く直線状端辺ＥＬ１，ＥＬ２，ＥＬ４と湾曲状端辺ＥＬ３には、各デッキ材の端面保護と、デッキＤの端辺の装飾のため、幕板４Ａ，４Ｂが、後述される本発明に係る幕板取付金具６を用いて取り付けられている。以下に詳述する。
【００１６】
幕板４Ａ，４Ｂはデッキ材１が合成樹脂製である場合に、その外観色彩が調和するように合成樹脂製である。
【００１７】
幕板には、好ましくは、図２に示すように、直線状端辺用幕板４Ａと、湾曲状端辺用幕板４Ｂとの２種類が用いられている。直線状端辺用幕板４Ａは、帯板状部材４１の幅方向両側に同じ方向に屈曲された補強部材４２を設けてある。また、帯板状部材４１の上部にはその長手方向に適宜の間隔を持ってビス貫通孔４３が形成してある。さらに好ましくは、帯板状部材４１の背面に１個又は複数個のリブ４４が形成されている。ビス貫通孔４３はそのリブ４４において形成されていることが望ましい。湾曲状端辺用幕板４Ｂは、直線状端辺用幕板４Ａの帯板状部材４１とほぼ等しい形状の帯板状部材４１のみを有する断面ほぼＩ字形の平板状である。従って、湾曲状端辺用幕板４Ｂは、製造された後の自然状態では平板状であるが、湾曲させることができる。
【００１８】
このような幕板４Ａ，４Ｂの固着対象であるデッキ材の構造の一例を図３及び図５に基づいて説明する。デッキ材１は、いずれも長手方向に連続して端部に開口する少なくとも１個の中空部１１を有する既知の物である。通常は、幅方向に区画された３〜５個程度の中空部を有する。
【００１９】
図３の右側及び図６（ａ）に示されているように、デッキＤの側面の直線状端辺ＥＬ２には、直線状端辺用幕板４Ａをその帯板状部材４１のビス貫通孔４３からセルフドリリングビス（以下、単にビスという。）５を貫通し、最初のデッキ材１1 の側面壁に形成してあるビスねじ込み孔にねじ込むことにより、簡単に取付けられる。
【００２０】
一方、デッキＤの正面側の直線状端辺ＥＬ１には、図３の左側及び図６（ｂ）に示されているように、各デッキ材１1 ，１2 ，１3 ，・・・の中空部１１の端部が開口されており、直線状端辺用幕板４Ａをその帯板状部材４１のビス貫通孔４３からビス５を貫通し、各デッキ材の中空部１１を利用して予め固着されている次述の幕板取付金具６のねじ受け部にねじ込むことにより、簡単に取付けられる。
【００２１】
幕板取付金具６は、図４〜６に示すように、垂直部６１と水平部６２と回転防止用係合片６３とを一体に有して、側面ほぼＬ字形に形成されている。垂直部６１は、デッキ材１の中空部１１を遮蔽し得る程度の大きさの面積を有し、その上部にビス５をねじ込むためのねじ受け孔６１ｈその他のねじ受け部を有する。水平部６２は、垂直部６１の下端から直角に延び、少なくとも一個のビス貫通孔６２ｈを有している。回転防止用係合片６３は、垂直部６１の上端部に水平部６２と同じ方向に突設されている。
【００２２】
そして、図５に示すように、幕板取付金具６の水平部６２をデッキ材の中空部１１の底壁１２の底面に当接させ、その幕板取付金具６をデッキ材１の他端方向に移動すると、回転防止用係合片６３が中空部１１の中に挿入されるとともに、垂直部６１がそのデッキ材の端部に当たって止められる。その状態で、水平部６２のビス貫通孔６２ｈからビス７を貫通し、これを中空部１１の底壁１２にねじ込むことにより、幕板取付金具６を垂直部６１が中空部１１の開口面を遮蔽する状態で固着することができる。回転防止用係合片６３は、中空部１１に嵌合されているため、ビス７による取付時に不要な回転が阻止される。
【００２３】
図７は、デッキＤの側面に取り付けられる直線状端辺用幕板４Ａ１の端部と、デッキＤの正面側に取り付けられる直線状端辺用幕板４Ａ２の端部との間に生じる隙間８ｃを閉そくするためのコーナーカバー９ａを例示する。このコーナーカバー９ａは、幕板４Ａの帯板状部材４１の高さとほぼ等しい高さを有し、デッキＤの直角コーナー部にねじ１０などにより取り付けられて、幕板４Ａ１，４Ａ２の隣接する帯板状部材４１及び幕板４Ａ１，４Ａ２の上端部及び下端部において隣接する補強部材４２を被覆する。
【００２４】
また、図８は、デッキＤの正面側端辺に取り付けられる直線状端辺用幕板４Ａが複数個ある場合に、それらの幕板４Ａ2a，４Ａ2bの間に生じる隙間８ｆを閉そくするためのフロントカバー９ｂを例示する。このフロントカバー９ｂも、幕板４Ａの帯板状部材４１の高さとほぼ等しい高さを有し、デッキの正面側端辺に隣接して取り付けられた２つの直線状端辺用幕板４Ａ2a，４Ａ2bの端部をフロントカバー９ｂの幅方向半分ずつで被覆するようにねじ１０などにより固着される。
【００２５】
図９は、隣接して取り付けられる直線状端辺用幕板４Ａ2b，４Ａ2cが、９０°よりも大きく１８０°よりも小さい角度をなす場合に、それらの幕板の間に生じる隙間を隠蔽するために取り付けられる角度自在コーナーカバー９ｃを例示する。この角度自在コーナーカバー９ｃは、コーナーカバー９ａとほぼ同一形状に形成され、異なる構成は、左右の正面隠蔽部材の互いに他に対してなす角度を、両正面隠蔽部材の間に設けてあるヒンジ構造により、任意に設定することが出来ることである。幕板に対する取付態様はコーナーカバー９ａと同一である。
【００２６】
図１のデッキのカーブ部の幕板、すなわち、湾曲状端辺用幕板４Ｂは、前記幕板取付金具６を用いて、図１０ないし図１３に示すようにして、取り付けられる。すなわち、湾曲状端辺を形成しているデッキ材のうち、適宜の間隔を持った位置に存在するデッキ材の中空部に、幕板取付金具６を図５に示された場合と同じ要領で取り付ける。この場合、図１１に示すように、幕板取付金具６の水平部６２をデッキ材の底壁の底面に当てて垂直部６１をデッキ材の小口に接近させた時に、デッキ材の端部の湾曲切断面がなすデッキ材の材軸に対する角度が異なっても回転防止用係合片６３がそのデッキ材の中空部に挿入されるように、その回転防止用係合片６３の幅寸法が設定されている。
【００２７】
このようにして、幕板取付金具６は、垂直部６１をデッキ材の湾曲切断面（小口面）に密着させた状態で、すなわち、幕板取付金具６の中心線Ｏをデッキの湾曲状端辺のなす円弧の中心に向けた状態で、デッキ材に取り付けることができる。
【００２８】
図１２に例示するように、デッキ材の幅方向の中央の中空部１１が幕板取付金具６のデッキ材に対する標準取付位置であるが、その左右いずれかの側にずれた位置の中空部１１ｌ，１１ｒでも良い。そして、幕板取付金具６が取り付けられたデッキの湾曲状端辺には、図１３に示すように、湾曲状端辺用幕板４Ｂが、これを貫通したビス５を各幕板取付金具６のねじ受け部にねじ込んで取り付けられる。この場合、各幕板取付金具６の間隔は、幕板４Ｂがその弾性復元力によりデッキ材の端面から円弧状に離間することを抑止できる距離に設定される。
【図面の簡単な説明】
【００２９】
【図１】本発明に係る幕板を取り付けたデッキの平面図。
【図２】２種類の幕板を例示する斜視図であり、（ａ）は直線状のデッキ端辺用の幕板、（ｂ）は湾曲状のデッキ端辺用の幕板である。
【図３】直線状のデッキ端辺に幕板を取り付ける状態を様子を示す斜視図。
【図４】幕板取付金具の側面図で、デッキ材に対する取付位置及び取り付けられる幕板との位置関係をも示す。
【図５】幕板取付金具のデッキ材に対する取付要領を説明する斜視。図
【図６】幕板のデッキ材に対する取付状態を示す斜視図。
【図７】デッキのコーナー部における幕板間の隙間を閉そくするコーナーカバーの取付例を示す斜視図。
【図８】デッキのフロント部における幕板間の隙間を閉そくするコーナーカバーの取付例を示す斜視図。
【図９】デッキの９０°以上１８０°未満のコーナー部における幕板間の隙間を閉そくする角度自在コーナーカバーの取付例を示す斜視図。
【図１０】デッキの湾曲状端辺に幕板を取付けるための幕板取付金具の取付例を示す斜視図。
【図１１】同じく幕板取付金具の取付状態を示す平面図。
【図１２】デッキ材に対する幕板取付金具の取付位置を説明する図。
【図１３】デッキの湾曲状端辺に幕板を取付ける取付例を示す斜視図。
【符号の説明】
【００３０】
Ｄ      デッキ
１，１1，１2，１3，・・・１n-4〜１n-1，１n  デッキ材
４Ａ，４Ｂ    幕板
４Ａ，４Ａ1，４Ａ2，４Ａ2a，４Ａ2b，４Ａ2c，４Ａ3    直線状端辺用幕板
４Ｂ          湾曲状端辺用幕板
５            ビス
６            幕板取付金具
６１          垂直部
６１ｈ        ねじ受け部（ねじ受け孔）
６２          水平部
６３          回転防止用係合片
【図１】
0004739058.tif 000002
【図２】
0004739058.tif 000003
【図３】
0004739058.tif 000004
【図４】
0004739058.tif 000005
【図５】
0004739058.tif 000006
【図６】
0004739058.tif 000007
【図７】
0004739058.tif 000008
【図８】
0004739058.tif 000009
【図９】
0004739058.tif 000010
【図１０】
0004739058.tif 000011
【図１１】
0004739058.tif 000012
【図１２】
0004739058.tif 000013
【図１３】
0004739058.tif 000014